(57)【特許請求の範囲】
【請求項１】
偏光軸が互いに直交する偏光子及び検光子と、
一対の電極基板の間に液晶分子がベンド配列した液晶層を挟持する液晶セルと、
前記偏光子と前記液晶セルとの間、及び、前記検光子と前記液晶セルとの間に設けられ、その法線方向とほぼ平行な方向に光学軸を有する屈折率異方性が負の一軸性位相差板と、
前記偏光子と前記液晶セルとの間、及び、前記検光子と前記液晶セルとの間に設けられ、前記液晶分子の前記電極基板への正射影方向と直交する方向に光学軸を有する屈折率異方性が正の一軸性位相差板と、
前記検光子と前記液晶セルとの間に設けられ、前記液晶分子の前記電極基板への正射影方向と直交しない方向に光学軸を有する位相差板と、を備える液晶表示装置。
【請求項２】
偏光軸が互いに直交する偏光子及び検光子と、
一対の電極基板の間に液晶分子がベンド配列した液晶層を挟持する液晶セルと、
前記偏光子と前記液晶セルとの間、及び、前記検光子と前記液晶セルとの間に設けられ、その法線方向とほぼ平行な方向、及び、前記液晶分子の前記電極基板への正射影方向と直交する方向に光学軸を有する二軸性位相差板と、
前記検光子と前記液晶セルとの間に設けられ、前記液晶分子の前記電極基板への正射影方向と直交しない方向に光学軸を有する位相差板と、を備える液晶表示装置。
【請求項３】
偏光軸が互いに直交する偏光子及び検光子と、
一対の電極基板の間に液晶分子がベンド配列した液晶層を挟持する液晶セルと、
前記偏光子と前記液晶セルとの間、及び、前記検光子と前記液晶セルとの間に設けられ、主軸がハイブリッド配列した負の屈折率異方性を有する光学媒体よりなる位相差板と、
前記偏光子と前記液晶セルとの間、及び、前記検光子と前記液晶セルとの間に設けられ、その法線方向とほぼ平行な方向に光学軸を有する屈折率異方性が負の一軸性位相差板と、
前記液晶分子の前記電極基板への正射影方向と直交しない方向に光学軸を有する位相差板と、を備える液晶表示装置。
【請求項４】
前記液晶分子の前記電極基板への正射影方向と直交しない方向に光学軸を有する位相差板の前記光学軸は、前記液晶分子の前記電極基板への正射影方向とほぼ４５度の角度をなす請求項１〜３のいずれかに記載の液晶表示装置。
【請求項５】
前記液晶分子の前記電極基板への正射影方向と直交しない方向に光学軸を有する位相差板の前記光学軸が、前記検光子の偏光軸方向と略平行である請求項４記載の液晶表示装置。
【請求項６】
前記液晶分子の前記電極基板への正射影方向と直交しない方向に光学軸を有する位相差板が一軸性位相差板である請求項１〜５のいずれかに記載の液晶表示装置。
【請求項７】
前記液晶分子の前記電極基板への正射影方向と直交しない方向に光学軸を有する位相差板が二軸性位相差板である請求項１〜５のいずれかに記載の液晶表示装置。
【発明の詳細な説明】
【０００１】
【発明の属する技術分野】
本発明は、ＯＡ機器などにおける表示装置のフラットディスプレイとして用いられる液晶表示装置に関するものである。
【０００２】
【従来の技術】
近年、液晶表示装置は、薄型、軽量、低消費電力という特長を有していることから、パーソナルコンピュータやワードプロセッサ、またカーナビゲーションシステムなどのフラットディスプレイとして広く用いられるようになっている。また、最近では、ＣＲＴ代替ディスプレイとしての期待が高まり、大型の液晶表示装置（液晶ディスプレイ）が開発され製品化されている。このように画面の大型化にともない、液晶表示装置に対して、より一層の広視野角化が要求されるようになってきた。
【０００３】
このような広視野角を実現する表示モードとしてはいくつかあるが、そのなかでも、ＯＣＢ（Ｏｐｔｉｃａｌｌｙ  Ｃｏｍｐｅｎｓａｔｅｄ  Ｂｉｒｅｆｒｉｎｇｅｎｃｅ）モードは、そのスイッチング速度が数ｍｓｅｃ程度と高速であるため、動画表示用のディスプレイとして注目されている。
【０００４】
このＯＣＢモードにおいては、液晶分子はベンド配列しており、液晶セルに印加する電圧の大きさにより実効的なリタデーションを制御して透過光量を変化させ表示を行っている。
【０００５】
特開平７−４９５０９号公報には、このようなベンド配列した液晶セルに固定の負の位相差を発生する部材を付加して、駆動電圧を低下させるとともに、視野角特性を拡大する技術が開示されている。これにより、白黒反転を考えた視野角範囲が位相差板のない場合に比べ広がっている。
【０００６】
しかしながら、黒表示の視野角依存は依然として大きいため、法線方向からの傾き角が大きくなるにつれて表示に黒浮きが発生してしまう。負の位相差を発生する部材としては、正の複屈折媒体を液晶セルの光軸と直交させる、あるいは負の複屈折媒体を液晶セルの光軸に平行に配置するなどが考えられるが、この特許にはそれらに関して詳細には開示されていない。
【０００７】
また、負の位相差を発生する部材としては、特開平８−３２７８２２号公報に示されるように、ディスコティック液晶がハイブリッド配向された位相差フィルムも考えられる。
【０００８】
【発明が解決しようとする課題】
しかしながら上記のような従来の液晶表示装置では、いまだに視野角特性が不十分であって、特に基板間に挟持された液晶分子と直交する方向において、黒表示状態での視野角依存性が大きいために、そのような黒表示状態でのコントラストが大きく低下するという問題点を有していた。
【０００９】
本発明は、上記従来の問題点を解決するもので、視野角依存性が大きい黒表示状態においても、液晶分子と直交する方向でのコントラストの低下を抑え、優れた視野角特性を得ることができる液晶表示装置を提供する。
【００１０】
【課題を解決するための手段】
上記の課題を解決するために本発明の液晶表示装置は、位相差板を、その光学軸が液晶セルの液晶分子の電極基板への正射影方向と直交せず、かつ特に検光子の偏光軸方向と略平行となるように配置することにより、極めて広い視野角範囲において高コントラストを得ることを特徴とする。
【００１１】
以上により、視野角依存性が大きい黒表示状態においても、液晶分子と直交する方向でのコントラストの低下を抑え、優れた視野角特性を得ることができる。
【００１２】
【発明の実施の形態】
本発明の請求項１に記載の液晶表示装置は、偏光軸が互いに直交する偏光子及び検光子と、一対の電極基板の間に液晶分子がベンド配列した液晶層を挟持する液晶セルと、前記偏光子と前記液晶セルとの間、及び、前記検光子と前記液晶セルとの間に設けられ、その法線方向とほぼ平行な方向に光学軸を有する屈折率異方性が負の一軸性位相差板と、前記偏光子と前記液晶セルとの間、及び、前記検光子と前記液晶セルとの間に設けられ、前記液晶分子の前記電極基板への正射影方向と直交する方向に光学軸を有する屈折率異方性が正の一軸性位相差板と、前記検光子と前記液晶セルとの間に設けられ、前記液晶分子の前記電極基板への正射影方向と直交しない方向に光学軸を有する位相差板と、を備える構成とする。
請求項２に記載の液晶表示装置は、偏光軸が互いに直交する偏光子及び検光子と、一対の電極基板の間に液晶分子がベンド配列した液晶層を挟持する液晶セルと、前記偏光子と前記液晶セルとの間、及び、前記検光子と前記液晶セルとの間に設けられ、その法線方向とほぼ平行な方向、及び、前記液晶分子の前記電極基板への正射影方向と直交する方向に光学軸を有する二軸性位相差板と、前記検光子と前記液晶セルとの間に設けられ、前記液晶分子の前記電極基板への正射影方向と直交しない方向に光学軸を有する位相差板と、を備える構成とする。
請求項３に記載の液晶表示装置は、偏光軸が互いに直交する偏光子及び検光子と、一対の電極基板の間に液晶分子がベンド配列した液晶層を挟持する液晶セルと、前記偏光子と前記液晶セルとの間、及び、前記検光子と前記液晶セルとの間に設けられ、主軸がハイブリッド配列した負の屈折率異方性を有する光学媒体よりなる位相差板と、前記偏光子と前記液晶セルとの間、及び、前記検光子と前記液晶セルとの間に設けられ、その法線方向とほぼ平行な方向に光学軸を有する屈折率異方性が負の一軸性位相差板と、前記液晶分子の前記電極基板への正射影方向と直交しない方向に光学軸を有する位相差板と、を備える構成とする。
請求項４に記載の液晶表示装置は、請求項１〜３のいずれかに記載の液晶表示装置であって、前記液晶分子の前記電極基板への正射影方向と直交しない方向に光学軸を有する位相差板の前記光学軸は、前記液晶分子の前記電極基板への正射影方向とほぼ４５度の角度をなす構成とする。
請求項５に記載の液晶表示装置は、請求項４記載の液晶表示装置であって、前記液晶分子の前記電極基板への正射影方向と直交しない方向に光学軸を有する位相差板の前記光学軸が、前記検光子の偏光軸方向と略平行である構成とする。
請求項６に記載の液晶表示装置は、請求項１〜５のいずれかに記載の液晶表示装置であって、前記液晶分子の前記電極基板への正射影方向と直交しない方向に光学軸を有する位相差板が一軸性位相差板である構成とする。
請求項７に記載の液晶表示装置は、請求項１〜５のいずれかに記載の液晶表示装置であって、前記液晶分子の前記電極基板への正射影方向と直交しない方向に光学軸を有する位相差板が二軸性位相差板である構成とする。
【００２２】
以上の構成によると、位相差板を、その光学軸が液晶セルの液晶分子の電極基板への正射影方向と直交せず、かつ特に検光子の偏光軸方向と略平行となるように配置することにより、極めて広い視野角範囲において高コントラストを得ることを可能とする。
【００２３】
以下、本発明の実施の形態を示す液晶表示装置について、図面を参照しながら具体的に説明する。
（実施の形態１）
図１は本実施の形態１の液晶表示装置の構成を示す部分断面図である。図１において、３ｕ、３ｂはガラスや石英からなる基板であり、液晶層１を挟持している。基板３ｕ、３ｂ上には、液晶層１における液晶分子を駆動する電圧を印加するために、電極２ｕ、２ｂが設けられている。図示されていないが、基板３ｕ、３ｂの何れかの基板上には、電極２ｕ、２ｂへの印加電圧をスイッチングするために、導電性を有する透明薄膜からなる薄膜トランジスタや薄膜ダイオード等のスイッチング素子が形成されている。液晶層１においてその液晶分子はＺ−Ｘ平面内でベンド配向をしている。
【００２４】
したがって、液晶分子の光軸の電極２ｕ、２ｂおよび基板３ｕ、３ｂへの正射影は、図２に示すように、矢印１１の方向すなわちＸ軸と平行となる。なお、１７は偏光子７の偏光軸方向であり、１８は検光子８の偏光軸方向である。液晶分子がベンド配向したＯＣＢモードを、偏光子７と検光子８の各光軸１７、１８が直交したクロスニコル下においてＮＷ（ノーマリーホワイト）モードで用いる場合、電圧−透過率特性カーブは図３に示すようにブロードであり、黒表示を行うためには高電圧を印加する必要がある。
【００２５】
そこで、駆動電圧を低下させるために、図１に示すように、屈折率異方性が正の第１の一軸性位相差板４ｕ、４ｂが、その光軸が液晶分子の光軸の電極基板への正射影方向（図２の矢印１１）と直交するように、すなわち、その光軸が図２の矢印１４と平行になるように配置されている。また、液晶層１と屈折率異方性が正の第１の一軸性位相差板４ｕ、４ｂとのリタデーションの視野角依存を補償するために、屈折率異方性が負の一軸性位相差板５ｕ、５ｂを、その光軸がＺ軸とほぼ平行になるように配置してある。そして、偏光子７と検光子８の各光軸１７、１８は互いに直交し、電圧印加による液晶層１のリタデーションの変化を有効に利用するために、偏光子７の偏光軸方向１７と液晶分子の光軸の電極基板への正射影方向（図２の矢印１１）は、ほぼ４５度の角度をなすように配置されている。
【００２６】
ここまでは、図４に示した従来の液晶表示装置と同じ構成である。従来の液晶表示装置の構成において、液晶分子の屈折率異方性Δｎと液晶層１の厚みｄとの積（Δｎ×ｄ）を８３０ｎｍに、屈折率異方性が正の第１の一軸性位相差板４ｕ、４ｂのリタデーションの合計を５０ｎｍ、屈折率異方性が負の一軸性位相差板５ｕ、５ｂのリタデーションの合計を６００ｎｍに設定した場合の、白表示時および黒表示時の輝度の視角依存を図５に示す。
【００２７】
図５において、左右方向とは図１および図２のＸ軸方向であり、上下方向とは図２のＹ軸方向である。また、視野角θは、パネル法線方向すなわち図１のＺ軸方向からの倒れ角であり、Ｚ軸からＸ軸の正の方向、Ｚ軸からＹ軸の正の方向に傾けた場合を、θは正と定義した。縦軸は光源の輝度を１として規格化した。このように、従来の液晶表示装置の構成では、Ｚ軸からの倒れ角が大きくなると黒表示時の白浮きが大きくなる、特に上下方向では、非対称性が強く、視野角θが正の方向での白浮きが非常に大きく、コントラストが著しく低下する。
【００２８】
本実施の形態１においては、図１の液晶表示装置の構成に示すように、屈折率異方性が正の第２の一軸性位相差板６を、その光軸（図２の矢印１６）が液晶分子の光軸の電極基板への正射影方向（図２の矢印１１）と直交しないように、たとえば検光子８の偏光軸（図２の矢印１８）とほぼ平行になるように配置した。図６に、リタデーションが１５０ｎｍの屈折率異方性が正の第２の一軸性位相差板６を配置した時の白表示時および黒表示時の輝度の視角依存を示す。
【００２９】
図４の場合の従来構成に対応する図５と比較すると明らかなように、屈折率異方性が正の第２の一軸性位相差板６を付加することで、左右方向での黒表示時の視角依存を一段と低下させ、また上下方向の非対称性を改善でき、特に視野角θが正の方向での黒表示時の白浮きを抑えられることがわかる。
【００３０】
コントラストが１０以上の範囲を比較すると、従来の液晶表示装置の構成では、左右方向は−５０°〜５０°であり、上下方向は−６３°〜４０°であるのに対し、本実施の形態の液晶表示装置の構成では、左右方向は−８０°〜８０°となっており、上下方向は−５０°〜５０°となっているように、広い視野角範囲において高コントラストが得られている。
【００３１】
このように、屈折率異方性が正の第２の一軸性位相差板６を付加することで、黒表示時の視角依存を著しく低下させ、かつ上下方向での非対称性を改善することができ、視認性に優れた広視野角の液晶表示装置を実現することができる。
【００３２】
なお、本実施の形態では、液晶分子の屈折率異方性Δｎと液晶層１の厚みｄとの積（Δｎ×ｄ）を８３０ｎｍに、屈折率異方性が正の第１の一軸性位相差板４ｕ、４ｂのリタデーションの合計を５０ｎｍ、屈折率異方性が負の一軸性位相差板５ｕ、５ｂのリタデーションの合計を６００ｎｍに、屈折率異方性が正の第２の一軸性位相差板６のリタデーションを１５０ｎｍに設定したが、本発明の効果はこれらの値に限定されるものではない。例えば、液晶分子の屈折率異方性Δｎと液晶層１の厚みｄとの積（Δｎ×ｄ）と屈折率異方性が正の第１の一軸性位相差板４ｕ、４ｂのリタデーションに対して、屈折率異方性が負の一軸性位相差板５ｕ、５ｂのリタデーションと屈折率異方性が正の第２の一軸性位相差板６のリタデーションを、最適な値とすることで本発明の効果が得られる。
【００３３】
また、屈折率異方性が正の第２の一軸性位相差板６の光軸（図２の矢印１６）を検光子の偏光軸（図２の矢印１８）とほぼ平行としたが、この方向に限定されるものではない。偏光子７の偏光軸（図２の矢印１７）とほぼ平行としても、高コントラスト範囲を拡大することができる。しかしながら、屈折率異方性が正の第２の一軸性位相差板６の光軸（図２の矢印１６）を検光子の偏光軸（図２の矢印１８）とほぼ平行としたほうが、視野角拡大の効果が大きくなり好ましい。
（実施の形態２）
図４に示す従来の場合と同一の液晶表示装置の構成において、屈折率異方性が負の一軸性位相差板５ｕと屈折率異方性が正の一軸性位相差板４ｕとは、光学的には光学的二軸性位相差板と等価とみなすことができる。したがって、屈折率異方性が正の一軸性位相差板４ｕと屈折率異方性が負の一軸性位相差板５ｕおよび屈折率異方性が正の一軸性位相差板４ｂと屈折率異方性が負の一軸性位相差板５ｂを光学的二軸性位相差板に置き換えた液晶表示装置も、従来の液晶表示装置の構成として考えることができる。
【００３４】
したがって、図１の液晶表示装置の構成においても、屈折率異方性が正の第１の一軸性位相差板４ｕと屈折率異方性が負の一軸性位相差板５ｕおよび屈折率異方性が正の第１の一軸性位相差板４ｂと屈折率異方性が負の一軸性位相差板５ｂを、光学的二軸性位相差板に置き換えた液晶表示装置も、本発明の液晶表示装置であり、本実施の形態２の液晶表示装置の構成として考えられる。
【００３５】
光学的には、実施の形態１で述べた構成の場合と全く等しく、液晶分子の屈折率異方性Δｎと液晶層１の厚みｄとの積（Δｎ×ｄ）を８３０ｎｍに設定した場合に、白表示時および黒表示時の輝度の視角依存は、従来の液晶表示装置の構成では図５と等しくなり、本実施の形態２の液晶表示装置の構成では、図６と全く等しくなる。すなわち、図１の屈折率異方性が正の第１の一軸性位相差板４ｕと屈折率異方性が負の一軸性位相差板５ｕおよび屈折率異方性が正の第１の一軸性位相差板４ｂと屈折率異方性が負の一軸性位相差板５ｂを、光学的二軸性位相差板に置き換えた液晶表示装置においても、屈折率異方性が正の第１の一軸性位相差板６を付加することで、黒表示時の視角依存を著しく低下させ、かつ上下方向での非対称性を改善することができ、視認性に優れた広視野角の液晶表示装置を実現することができる。
【００３６】
なお、屈折率異方性が負の一軸性位相差板と屈折率異方性が正の位相差板とは、上述のとおり、光学的には光学的二軸性位相差板と等価であるため、図１における屈折率異方性が正の第２の一軸性位相差板６と屈折率異方性が負の一軸性位相差板５ｕの一部又は全部を光学的二軸性位相差板に置き換えることができる。
（実施の形態３）
図７は本実施の形態３の液晶表示装置の構成を示す部分断面図である。実施の形態１の場合と同様に、ガラスや石英などの基板３ｕ、３ｂが液晶層１を挟持している。液晶層１において液晶分子はＺ−Ｘ平面内でベンド配向をしている。屈折率異方性が正の液晶分子がベンド配向している場合、負の屈折率異方性をもつ光学媒体が液晶分子と同様な配向をしているような位相差板を用いるのが、液晶層１のリタデーションの視角依存を改善するのに効果的である。
【００３７】
そこで、液晶層１における液晶分子と同様に、主軸がＺ−Ｘ平面内でハイブリッド配列した負の屈折率異方性をもつ光学媒体よりなる位相差板９ｕ、９ｂで液晶層１を挟み込むような構成としている。さらに、屈折率異方性が負の一軸性位相差板５ｕ、５ｂを、その主軸がＺ軸とほぼ平行となるように配置して黒表示時の白浮きを改善している。そして、実施の形態１と同様に、偏光子７と検光子８の角光軸１７、１８は、互いに直交し、電圧印加による液晶層１のリタデーションの変化を有効に利用するために、偏光子７の偏光軸方向１７と液晶分子の光軸の電極基板への正射影方向１１は、ほぼ４５度の角度をなすように配置されている。
【００３８】
ここまでは、従来の液晶表示装置の構成として考えられており、液晶分子の屈折率異方性Δｎと液晶層１の厚みｄとの積（Δｎ×ｄ）を８３０ｎｍに、主軸がハイブリッド配列した負の屈折率異方性をもつ光学媒体よりなる位相差板９ｕ、９ｂのリタデーションの合計を４０ｎｍに、屈折率異方性が負の一軸性位相差板５ｕ、５ｂのリタデーションの合計を６００ｎｍに設定した場合の、白表示時および黒表示時の輝度の視角依存を図９に示す。
【００３９】
図９において、左右方向とは実施の形態１と同様に図７および図８のＸ軸方向であり、上下方向とは図８のＹ軸方向である。なお、図８において、１９はハイブリッド配列した負の屈折率異方性をもつ光学媒体の主軸の電極基板への正射影方向を表す。また、視野角θはパネル法線方向、すなわち図７のＺ軸方向からの倒れ角であり、Ｚ軸からＸ軸の正の方向、Ｚ軸からＹ軸の正の方向に傾けた場合を、視野角θは正と定義した。縦軸は光源の輝度を１として規格化した。
【００４０】
このように、従来の液晶表示装置の構成では、Ｚ軸からの倒れ角が大きくなると黒表示時の白浮きが大きくなる。特に上下方向では非対称性が強く、視野角θが正の方向での白浮きが非常に大きく、コントラストが著しく低下する。
【００４１】
本実施に形態３では、図７の液晶表示装置の構成に示すように、屈折率異方性が正の一軸性位相差板６を、その光軸が液晶分子の光軸の電極基板への正射影方向と直交しないように、たとえば検光子の偏光軸とほぼ平行になるように配置した。図１０に、リタデーションが１５０ｎｍの一軸性位相差板を配置した時の白表示時および黒表示時の輝度の視角依存を示す。図９と比較すると明らかなように、屈折率異方性が正の一軸性位相差板６を付加することで、左右方向での黒表示時の視角依存を一段と低下させ、また上下方向の非対称性を改善でき、特に視野角θが正の方向での黒表示時の白浮きを抑えられることがわかる。
【００４２】
コントラストが１０以上の範囲を比較すると、従来の液晶表示装置の構成では、左右方向は−５０°〜５０°であり、上下方向は−８０°〜５０°であるのに対し、本発明の液晶表示装置の構成では、左右方向は−８０°〜８０°となっており、上下方向は−８０°〜８０°となっているように、本実施の形態の構成では、極めて広い視野角範囲において高コントラストが得られる。
【００４３】
このように、屈折率異方性が正の一軸性位相差板６を付加することで、黒表示時の視角依存を著しく低下させ、かつ上下方向での非対称性を改善することができ、視認性に優れた広視野角の液晶表示装置を実現することができる。
【００４４】
なお、本実施の形態では、液晶分子の屈折率異方性Δｎと液晶層１の厚みｄとの積（Δｎ×ｄ）を８３０ｎｍに、主軸がハイブリッド配列した負の屈折率異方性をもつ光学媒体よりなる位相差板９ｕ、９ｂのリタデーションの合計を４０ｎｍに、屈折率異方性が負の一軸性位相差板５ｕ、５ｂのリタデーションの合計を６００ｎｍに、屈折率異方性が正の一軸性位相差板６のリタデーションを１５０ｎｍに設定したが、本発明の効果はこれらの値に限定されるものではない。
【００４５】
液晶分子の屈折率異方性Δｎと液晶層１の厚みｄとの積（Δｎ×ｄ）と主軸がハイブリッド配列した負の屈折率異方性をもつ光学媒体よりなる位相差板９ｕ、９ｂのリタデーションに対して、屈折率異方性が負の一軸性位相差板５ｕ、５ｂのリタデーションと屈折率異方性が正の一軸性位相差板６のリタデーションを最適な値とすることで本発明の効果が得られる。
【００４６】
また、屈折率異方性が正の一軸性位相差板６の光軸を検光子８の偏光軸１８とほぼ平行としたが、この方向に限定されるものではない。偏光子７の偏光軸１７とほぼ平行としても、高コントラスト範囲を拡大することができる。しかしながら、屈折率異方性が正の一軸性位相差板６の光軸を検光子８の偏光軸１８とほぼ平行としたほうが、視野角拡大の効果が大きくなり好ましい。
【００４７】
なお、屈折率異方性が負の一軸性位相差板と屈折率異方性が正の位相差板とは、実施の形態２で述べたとおり、光学的には光学的二軸性位相差板と等価であるため、図７における屈折率異方性が正の一軸性位相差板６と屈折率異方性が負の一軸性位相差板５ｕの一部または全部を光学的二軸性位相差板に置き換えることができる。
【００４８】
【発明の効果】
以上のように本発明によれば、位相差板を、その光学軸が液晶セルの液晶分子の電極基板への正射影方向と直交せず、かつ特に検光子の偏光軸方向と略平行となるように配置することにより、極めて広い視野角範囲において高コントラストを得ることができる。
【００４９】
そのため、視野角依存性が大きい黒表示状態においても、液晶分子と直交する方向でのコントラストの低下を抑え、優れた視野角特性を得ることができる。
【図面の簡単な説明】
【図１】本発明の実施の形態１の液晶表示装置の概略構成図
【図２】同実施の形態１における位相差板の配置方向を示す平面図
【図３】同実施の形態１におけるＯＣＢモードでの電圧−透過率特性図
【図４】従来の液晶表示装置の概略構成図
【図５】同従来例における白表示輝度と黒表示輝度の視角依存性の説明図
【図６】本発明の実施の形態１の液晶表示装置における白表示輝度および黒表示輝度の視角依存性の説明図
【図７】本発明の実施の形態３の液晶表示装置の概略構成図
【図８】同実施の形態３における位相差板の配置方向を示す平面図
【図９】図５と同様の白表示輝度および黒表示輝度の視角依存性の説明図
【図１０】本発明の実施の形態３の液晶表示装置における白表示輝度および黒表示輝度の視角依存性の説明図
【符号の説明】
１    液晶層
２ｕ、２ｂ    電極
３ｕ、３ｂ    基板
４ｕ、４ｂ    屈折率が正の第１の一軸性位相差板
５ｕ、５ｂ    屈折率が負の一軸性位相差板
６    屈折率異方性が正の第２の一軸性位相差板
７    偏光子
８    検光子
９ｕ、９ｂ    主軸がハイブリッド配列した負の屈折率異方性をもつ光学媒体よりなる位相差板
【図１】
0003602065.tif 000002
【図２】
0003602065.tif 000003
【図３】
0003602065.tif 000004
【図４】
0003602065.tif 000005
【図５】
0003602065.tif 000006
【図６】
0003602065.tif 000007
【図７】
0003602065.tif 000008
【図８】
0003602065.tif 000009
【図９】
0003602065.tif 000010
【図１０】
0003602065.tif 000011